(57)【要約】【課題】駆動する負荷に応じた永久磁石の磁束量の調整を、高速回転時の絶縁破壊や低速回転時の出力低下などを招くことなく行い、しかも、永久磁石を減磁または増磁させた場合の磁束量の変化幅を大きくする。【解決手段】回転子コア８内部に複数の磁極を形成する永久磁石９を備えた永久磁石モータにおいて、永久磁石９は、１磁極あたり１種類となるように配置された保磁力が異なる２種類の永久磁石９ａ，９ｂから構成され、保磁力が小さい永久磁石９ｂは、１磁極あたり４個の永久磁石片９ｂ´で構成され、且つ、これら永久磁石片９ｂ´間に当該永久磁石片９ｂ´の磁化方向と直交する方向に隙間を持たせた構成となっている。保磁力が小さい永久磁石９ｂの磁化状態を、外部磁界により減磁または増磁することで、永久磁石９の磁束量を調整する。【選択図】図１
2010022107.tif 000002
【特許請求の範囲】
【請求項１】
回転子のコア内部に複数の磁極を形成する永久磁石を備えた永久磁石モータにおいて、
前記永久磁石は、１磁極あたり１種類となるように配置された保磁力が異なる複数種類の永久磁石から構成され、
これら複数種類の永久磁石のうち相対的に保磁力が小さい永久磁石は、１磁極あたり複数個の永久磁石片で構成され、且つ、これら複数個の永久磁石片間に当該永久磁石片の磁化方向と直交する方向に隙間を持たせた構成となっていることを特徴とする永久磁石モータ。
【請求項２】
前記複数種類の永久磁石のうち相対的に保磁力が小さい永久磁石について、当該永久磁石のパーミアンス係数と、当該永久磁石の１磁極あたりの永久磁石片の個数との積によって求められる値は、
前記複数種類の永久磁石のうち相対的に保磁力が大きい永久磁石について、当該永久磁石のパーミアンス係数と、当該永久磁石の１磁極あたりの永久磁石片の個数との積によって求められる値よりも大きくなるように設定されていることを特徴とする請求項１に記載の永久磁石モータ。
【請求項３】
前記永久磁石は、ほぼ環状に配置されていることを特徴とする請求項１または２に記載の永久磁石モータ。
【請求項４】
前記永久磁石を、保磁力が異なる２種類の永久磁石から構成し、
これら永久磁石を１磁極あたり１種類で交互に配置したことを特徴とする請求項１ないし３の何れかに記載の永久磁石モータ。
【請求項５】
前記２種類の永久磁石は、保磁力が２倍以上異なることを特徴とする請求項４に記載の永久磁石モータ。
【請求項６】
請求項１ないし５の何れかに記載の永久磁石モータと、
この永久磁石モータの駆動を制御する制御部と、を備え、
前記制御部は、前記永久磁石のうち相対的に保磁力が小さい永久磁石の磁化状態を切り換えられるように構成したことを特徴とする洗濯機。
【請求項７】
前記制御部は、前記永久磁石のうち相対的に保磁力が小さい永久磁石の磁化状態を運転行程ごとに切り換えられるように構成したことを特徴とする請求項６に記載の洗濯機。
【請求項８】
前記運転行程は、洗濯、脱水または乾燥の何れかであることを特徴とする請求項７に記載の洗濯機。
【発明の詳細な説明】
【技術分野】
【０００１】
本発明は、回転子のコア内部に複数の永久磁石を備えた永久磁石モータおよび当該永久磁石モータを備えた洗濯機に関する。
【背景技術】
【０００２】
この種の永久磁石モータでは、当該永久磁石モータにより駆動する負荷（例えばドラム式洗濯乾燥機のドラム）に応じて、固定子巻線に鎖交する永久磁石の磁束量（鎖交磁束量）を適正に調整することが望まれている。
ところが、永久磁石モータに備えられる永久磁石は１種類で構成されることが一般的であり、従って、永久磁石の磁束量が常に一定となる。この場合、例えば、保磁力が大きい永久磁石のみで構成すると、高速回転時の永久磁石による誘導電圧が極めて高くなり電子部品の絶縁破壊などを招くおそれがある。一方、保磁力が小さい永久磁石のみで構成すると、低速回転時の出力が低下してしまう。
【０００３】
そこで、例えば、特許文献１に記載の永久磁石モータでは、回転子のコア内部に保磁力が異なる２種類の永久磁石を配設し、そのうち、保磁力が小さい永久磁石の磁化状態を、電気子反作用による外部磁界（固定子巻線に流れる電流により発生する磁界）にて減磁または増磁させることにより、永久磁石の磁束量を調整するようにしている。
【特許文献１】特開２００６−２８０１９５号公報
【発明の開示】
【発明が解決しようとする課題】
【０００４】
しかしながら、特許文献１に記載の永久磁石モータでは、回転子のコア内部において、１磁極を構成する部分に複数の永久磁石が配設されており、しかも、これら複数の永久磁石は、それぞれの磁化方向が異なった方向に向いた状態で配置されている。そのため、永久磁石を減磁または増磁させるために必要な外部磁界が大きくなってしまう。
【０００５】
本発明は、上記した事情に鑑みてなされたものであり、その目的は、駆動する負荷に応じた永久磁石の磁束量の調整を、高速回転時の絶縁破壊や低速回転時の出力低下などを招くことなく行うことができ、しかも、永久磁石を減磁または増磁させた場合の磁束量の変化幅を大きくできる永久磁石モータおよび当該永久磁石モータを備えた洗濯機を提供することにある。
【課題を解決するための手段】
【０００６】
本発明の請求項１記載の永久磁石モータは、回転子のコア内部に複数の磁極を形成する永久磁石を備えた永久磁石モータにおいて、前記永久磁石は、１磁極あたり１種類となるように配置された保磁力が異なる複数種類の永久磁石から構成され、これら複数種類の永久磁石のうち相対的に保磁力が小さい永久磁石は、１磁極あたり複数個の永久磁石片で構成され、且つ、これら複数個の永久磁石片間に当該永久磁石片の磁化方向と直交する方向に隙間を持たせた構成となっていることに特徴を有している。
【０００７】
本発明の請求項６記載の洗濯機は、請求項１ないし５の何れかに記載の永久磁石モータと、この永久磁石モータの駆動を制御する制御部とを備え、前記制御部は、前記永久磁石のうち相対的に保磁力が小さい永久磁石の磁化状態を切り換えられるように構成したことに特徴を有している。
【発明の効果】
【０００８】
本発明の請求項１記載の永久磁石モータによれば、駆動する負荷に応じた永久磁石の磁束量の調整を、高速回転時の絶縁破壊や低速回転時の出力低下などを招くことなく行うことができる。
【０００９】
しかも、複数種類の永久磁石のうち相対的に保磁力が小さい永久磁石は、１磁極を構成する複数個の永久磁石片の磁化方向が同一方向に向いた状態で配置される。また、当該保磁力が小さい永久磁石は、磁化方向と直交する方向に隙間を有した分、磁化方向に見た１磁極あたりの断面積が小さくなり、パーミアンス係数が大きくなる。従って、当該保磁力が小さい永久磁石を減磁または増磁させた場合の永久磁石の磁束量の変化幅を大きくできる。
【００１０】
本発明の請求項６記載の洗濯機によれば、永久磁石の磁束量を効率よく調整することができる。
【発明を実施するための最良の形態】
【００１１】
以下、本発明の一実施形態について図面を参照しながら説明する。図２は、永久磁石モータ１（アウタロータ型ブラシレスモータ）の全体構成を概略的に示す斜視図である。永久磁石モータ１は、固定子２と、これの外周に設けた回転子３とから構成されている。
【００１２】
固定子２は、図３にも示すように、固定子コア４と固定子巻線５とから構成されている。固定子コア４は、打ち抜き形成した軟磁性体であるケイ素鋼板を多数枚積層し且つかしめることにより構成したもので、環状のヨーク部４ａと、当該ヨーク部４ａの外周部から放射状に突出する多数のティース部４ｂとを有している。固定子コア４の表面は、回転子３の内周面との間に空隙を形成する外周面４ｃ（各ティース部４ｂの先端面）を除き、ＰＥＴ樹脂（モールド樹脂）により覆われている。また、このＰＥＴ樹脂から成る複数の取付部６が、固定子２の内周部に一体的に成形されている。これら取付部６には複数のねじ穴６ａが設けられており、これら取付部６をねじ止めすることで、固定子２が、この場合、ドラム式洗濯乾燥機２１の水槽２５（図５参照）の背面に固着されるようになっている。固定子巻線５は三相からなり、各ティース部４ｂに巻装されている。
【００１３】
回転子３は、図４にも示すように、フレーム７と回転子コア８と複数の永久磁石９とを図示しないモールド樹脂により一体化した構成となっている。フレーム７は、磁性体である例えば鉄板をプレス加工することにより扁平な有底円筒状に形成したもので、円形の主板部７ａと、この主板部７ａの外周部から段部７ｂを経て起立する環状の周側壁７ｃとを有する。主板部７ａの中心部には、回転軸２６（図５参照）を取付るための軸取付部１０が設けられており、この軸取付部１０と段部７ｂとの間には、複数の通風孔１１およびリブ１２が軸取付部１０を中心に放射状に形成されている。
【００１４】
回転子コア８は、ほぼ環状に打ち抜き形成した軟磁性体であるケイ素鋼板を多数枚積層し且つかしめることにより構成したもので、フレーム７の周側壁７ｃの内周部に配置されている。この回転子コア８の内周面（固定子２の外周面（固定子コア４の外周面４ｃ）と対向し当該固定子２との間に空隙を形成する面）は、内方に向けて円弧状に突出する複数の凸部８ａを有した凹凸状に形成されている。
【００１５】
図１にも示すように、これら複数の凸部８ａの内部には、回転子コア８を軸方向（ケイ素鋼板の積層方向）に貫通する挿入穴１３が形成されており、これら複数の挿入穴１３が回転子コア８において環状に配置された構成となっている。また、これら複数の挿入穴１３は、短辺方向（永久磁石モータ１の径方向）の寸法が異なる２種類の挿入穴１３ａ，１３ｂから構成されている。この場合、挿入穴１３ａは、その短辺方向の寸法が２．１ｍｍ、長辺方向（永久磁石モータ１の周方向）の寸法が１２．０ｍｍ、深さ方向（永久磁石モータ１の前後方向）の寸法が１９．０ｍｍとなっている。また、挿入穴１３ｂは、その短辺方向の寸法が５．２ｍｍ、長辺方向の寸法が１２．０ｍｍ、深さ方向の寸法が１９．０ｍｍとなっている。
【００１６】
挿入穴１３ａは、その長辺方向の両端部が短辺方向に若干広がったほぼ矩形状の開口穴となっている。挿入穴１３ｂは、矩形状の開口穴となっており、その内部に、当該挿入穴１３ｂの外方側（永久磁石モータ１の外方側）の内壁面から内方に突出すると共に深さ方向に延びる複数（この場合、５つ）の凸条部１４をそれぞれ有している。これら複数の凸条部１４は、挿入穴１３ｂの長辺方向に沿って等間隔（この場合、２．１ｍｍの間隔）に配置されている。これにより、挿入穴１３ｂの内部は、凸条部１４によって４つの空間に仕切られた構成となっている。これら挿入穴１３ａ，１３ｂは、回転子コア８の周方向に沿って１つずつ交互に配置されている。
【００１７】
永久磁石９は、挿入穴１３ａに挿入されたネオジム磁石９ａと、挿入穴１３ｂに挿入されたアルニコ磁石９ｂとから構成されている。この場合、ネオジム磁石９ａの保磁力は約９００ｋＡ／ｍ、アルニコ磁石９ｂの保磁力は約１００ｋＡ／ｍであり、保磁力が９倍程度異なっている。即ち、永久磁石９は保磁力が異なる２種類の永久磁石９ａ，９ｂから構成され、これら永久磁石９ａ，９ｂは、回転子コア８内部においてほぼ環状に且つ１つずつ交互に配置されている。
【００１８】
また、これら２種類の永久磁石９ａ，９ｂは、それぞれ１種類で１磁極を形成しており、その磁化方向が永久磁石モータ１の径方向（永久磁石モータ１の外周部から固定子２と回転子３間の空隙に向かう方向）に沿うように配設されている。このように２種類の永久磁石９ａ，９ｂを交互に且つその磁化方向が径方向に沿うように配置することにより、隣どうしに配置された永久磁石９ａ，９ｂが互いに反対方向に磁極を有する状態（一方のＮ極が内側、他方のＮ極が外側となる状態）となり、これらネオジム磁石９ａとアルニコ磁石９ｂとの間に例えば矢印Ｂで示す方向に磁気経路（磁束）が生ずる。尚、上方の破線で示す矢印は、回転子コア８を経由する磁束である。即ち、保磁力が大きいネオジム磁石９ａと保磁力が小さいアルニコ磁石９ｂの双方を通過する磁気経路が形成されるようになっている。
【００１９】
また、ネオジム磁石９ａは、１磁極あたり１個の角柱形状のネオジム磁石片で構成されている。一方、アルニコ磁石９ｂは、１磁極あたり複数個（この場合、４個）の角柱形状のアルニコ磁石片９ｂ´で構成されており、これら４個のアルニコ磁石片９ｂ´は、それぞれ挿入穴１３ｂ内の凸条部１４間に挟まれて配置されている。即ち、アルニコ磁石９ｂは、４個のアルニコ磁石片９ｂ´間に当該アルニコ磁石片９ｂ´の磁化方向（永久磁石モータ１の径方向）と直交する方向（永久磁石モータ１の周方向）に隙間（凸条部１４間の寸法に相当する隙間）を持たせた構成となっている。
【００２０】
次に、このように構成されたネオジム磁石９ａおよびアルニコ磁石９ｂについて、永久磁石のパーミアンス係数と、永久磁石の１磁極あたりの永久磁石片の個数との積によって求められる値を比較する。
この場合、アルニコ磁石９ｂについて、当該アルニコ磁石９ｂのパーミアンス係数と、当該アルニコ磁石９ｂの１磁極あたりの永久磁石片の個数（４個）との積によって求められる値は、ネオジム磁石９ａについて、当該ネオジム磁石９ａのパーミアンス係数と、当該ネオジム磁石９ａの１磁極あたりの永久磁石片の個数（１個）との積によって求められる値よりも大きくなっている。
【００２１】
ここで、上記のネオジム磁石９ａ，アルニコ磁石９ｂのような角柱形状の永久磁石のパーミアンス係数Ｐｃは、次式によって求められる。
Ｐｃ＝（Ｌｍ／（Ｗ×Ｌ））×（Ｐｌ／１．１）
Ｌｍ：永久磁石の磁化方向の厚み寸法
Ｗ：永久磁石の磁化方向と直交する方向の寸法
Ｌ：永久磁石の深さ方向の寸法
Ｐｌ：漏れパーミアンス
即ち、永久磁石のパーミアンス係数は、当該永久磁石の磁化方向の厚み寸法（Ｌｍ）が大きいほど、また、当該永久磁石の磁化方向に見た断面積（Ｗ×Ｌ）が小さいほど大きくなる。尚、漏れパーミアンスＰｌは、次式によって求められる。
Ｐｌ＝（π×（Ｗ×Ｌ＋（Ｗ＋Ｌ）×Ｌｍ））１／２
【００２２】
次に、上記のように構成された永久磁石モータ１を備えたドラム式洗濯乾燥機２１の構成について説明する。図５は、ドラム式洗濯乾燥機２１の内部構成を概略的に示す縦断側面図である。
【００２３】
ドラム式洗濯乾燥機２１の外殻を形成する外箱２２は、前面に円形状に開口する洗濯物出入口２３を有しており、この洗濯物出入口２３は、ドア２４により開閉されるようになっている。外箱２２の内部には、背面が閉鎖された有底円筒状の水槽２５が配置されており、この水槽２５の背面中央部には上述の永久磁石モータ１（固定子２）がねじ止めにより固着されている。この永久磁石モータ１の回転軸２６は、後端部（図５では右側の端部）が永久磁石モータ１（回転子３）の軸取付部１０に固定されており、前端部（図５では左側の端部）が水槽２５内に突出している。回転軸２６の前端部には、背面が閉鎖された有底円筒状のドラム２７が水槽２５に対して同軸状となるように固定されており、このドラム２７は、永久磁石モータ１の駆動により回転子３および回転軸２６と一体的に回転する。尚、ドラム２７には、空気および水を流通可能な複数の流通孔２８と、ドラム２７内の洗濯物の掻き上げやほぐしを行うための複数のバッフル２９が設けられている。
【００２４】
水槽２５には給水弁３０が接続されており、当該給水弁３０が開放されると、水槽２５内に給水されるようになっている。また、水槽２５には排水弁３１を有する排水ホース３２が接続されており、当該排水弁３１が開放されると、水槽２５内の水が排出されるようになっている。
【００２５】
水槽２５の下方には、前後方向へ延びる通風ダクト３３が設けられている。この通風ダクト３３の前端部は前部ダクト３４を介して水槽２５内に接続されており、後端部は後部ダクト３５を介して水槽２５内に接続されている。通風ダクト３３の後端部には、送風ファン３６が設けられており、この送風ファン３６の送風作用により、水槽２５内の空気が、矢印で示すように、前部ダクト３４から通風ダクト３３内に送られ、後部ダクト３５を通して水槽２５内に戻されるようになっている。
【００２６】
通風ダクト３３内部の前端側には蒸発器３７が配置されており、後端側には凝縮器３８が配置されている。これら蒸発器３７および凝縮器３８は、圧縮機３９および絞り弁（図示せず）とともにヒートポンプ４０を構成しており、通風ダクト３３内を流れる空気が、蒸発器３７により除湿され凝縮器３８により加熱されて、水槽２５内に循環されるようになっている。
【００２７】
外箱２２の前面にはドア２４の上方に位置して操作パネル４１が設けられており、この操作パネル４１には運転コースなどを設定するための複数の操作スイッチ（図示せず）が設けられている。操作パネル４１は、マイクロコンピュータを主体として構成されドラム式洗濯乾燥機２１の運転全般を制御する制御回路部４２（制御部に相当）に接続されており、当該制御回路部４２は、操作パネル４１を介して設定された内容に従って、永久磁石モータ１、給水弁３０、排水弁３１、圧縮機３９、絞り弁などの駆動を制御しながら各種の運転コースを実行する。
【００２８】
また、永久磁石モータ１において永久磁石９に対向する部分には、当該永久磁石９の磁気を検出する磁気センサ（図示せず）が配置されている。この磁気センサは、固定子２側に取り付けられた回路基板（図示せず）に実装されている。制御回路部４２は、この磁気センサからの検出信号に基づいて回転子３の回転位置を演算する。そして、この演算結果に応じてインバータ回路（図示せず）を駆動することにより、固定子巻線５の通電を制御しながら回転子３を回転させるようになっている。
【００２９】
次に、上記のように永久磁石モータ１を備えたドラム式洗濯乾燥機２１の作用について説明する。
制御回路部４２がインバータ回路を介して固定子巻線５に通電すると、電気子反作用による外部磁界（固定子巻線５を流れる電流により発生する磁界）が、回転子３の永久磁石９ａ，９ｂに作用するようになる。そして、これら永久磁石９ａ，９ｂのうち、保磁力が小さいアルニコ磁石９ｂの磁化状態が、この電気子反作用による外部磁界により減磁または増磁され、これにより、固定子巻線５に鎖交する磁束量（鎖交磁束量）を増減することができる。そこで、本実施形態では、制御回路部４２は、固定子巻線５の通電を制御することにより、アルニコ磁石９ｂの磁化状態を運転行程（洗濯行程、脱水行程、乾燥行程）ごとに切り換えて実行するようになっている。ここで、各運転行程における動作内容について順に説明する。
【００３０】
まず、洗濯行程では、制御回路部４２は、給水弁３０を開放して水槽２５内に給水を行い、続いてドラム２７を回転させて洗濯を行う。この洗濯行程においては、水を含んだ洗濯物を掻き上げるためにドラム２７を高トルクで回転させる必要があるが、回転速度は低速でよい。そこで、制御回路部４２は、アルニコ磁石９ｂの磁化状態が増磁されるように、インバータ回路による固定子巻線５の通電を制御する。これにより、固定子巻線５に作用する磁束量が多く（磁力が強く）なることから、ドラム２７を高トルク低速度で回転させることができる。
【００３１】
次に、脱水行程では、制御回路部４２は、排水弁３１を開放して水槽２５内の水を排出し、続いてドラム２７を高速回転させることにより洗濯物に含まれる水分を脱水する。この脱水行程においては、脱水効率を向上するためにドラム２７を高速で回転させる必要があるが、トルクは小さくてもよい。そこで、制御回路部４２は、アルニコ磁石９ｂの磁化状態が減磁されるように、インバータ回路による固定子巻線５の通電を制御する。これにより、固定子巻線５に作用する磁束量が少なく（磁力が弱く）なることから、ドラム２７を低トルク高速度で回転させることができる。
【００３２】
最後に、乾燥行程では、制御回路部４２は、送風ファン３６およびヒートポンプ４０を駆動させるとともにドラム２７を回転させることにより洗濯物の乾燥を行う。この乾燥行程においては、制御回路部４２は、次回の洗濯行程に備えて、アルニコ磁石９ｂの磁化状態が増磁されるように、インバータ回路による固定子巻線５の通電を制御する。これにより、固定子巻線５に作用する磁束量を多くした状態とすることができ、次回の洗濯行程において、ドラム２７を高トルク低速度で回転させ易くすることができる。
【００３３】
以上に説明したように本実施形態の永久磁石モータ１によれば、保磁力が異なる２種類の永久磁石９ａ，９ｂのうち保磁力が小さいアルニコ磁石９ｂの磁化状態を、電気子反作用による外部磁界により減磁または増磁することで、駆動する負荷（本実施形態ではドラム式洗濯乾燥機２１のドラム２７）に応じた永久磁石９の磁束量の調整が可能となる。これにより、永久磁石９の磁束量が常に一定となることがなく、高速回転時の絶縁破壊や低速回転時の出力低下などを防止できる。
【００３４】
しかも、保磁力が小さいアルニコ磁石９ｂは、挿入穴１３ｂ内において、１磁極を構成する４個の永久磁石片９ｂ´の磁化方向が同一方向（この場合、永久磁石モータ１の径方向）に向いた状態で配置される。また、当該アルニコ磁石９ｂは、磁化方向と直交する方向に隙間を有した分、磁化方向に見た１磁極あたりの断面積が小さくなり、パーミアンス係数が大きくなる。従って、当該アルニコ磁石９ｂを減磁または増磁させるために必要な外部磁界を小さくすることができ、永久磁石９の磁束量を効率良く調整することができる。
【００３５】
また、永久磁石９ａ，９ｂについて、永久磁石のパーミアンス係数と、永久磁石の１磁極あたりの永久磁石片の個数との積によって求められる値は、保磁力が小さいアルニコ磁石９ｂの値の方が、保磁力が大きいネオジム磁石９ａの値よりも大きくなるように設定した。
【００３６】
ここで、永久磁石を減磁または増磁させた場合の磁束量の変化幅は、「永久磁石のパーミアンス係数」が大きいほど大きくなる。また、「永久磁石の１磁極あたりの永久磁石片の個数」を多くするほど、永久磁石片間に形成される隙間の総量が多くなり（永久磁石の磁化方向に見た断面積が小さくなり）、パーミアンス係数が大きくなる。つまり、永久磁石を減磁または増磁させた場合の磁束量の変化幅が大きくなる。但し、隙間が多くなり過ぎると永久磁石全体の磁力が弱くなるため、永久磁石片間の隙間量は、要求される永久磁石の磁力に応じて制限される。
【００３７】
従って、これら２つのパラメータ（「永久磁石のパーミアンス係数」および「永久磁石の１磁極あたりの永久磁石片の個数」）の積の値が大きくなるようにアルニコ磁石９ｂを構成したことによって、その磁化状態を減磁または増磁させた場合の磁束量の変化幅を一層大きくすることができる。
【００３８】
また、保磁力が異なる２種類の永久磁石９ａ，９ｂを１磁極あたり１種類で且つほぼ環状となるように配置した構成は簡素であり、このような簡素な構成にて、駆動する負荷（ドラム２７）に応じた永久磁石９の磁束量の調整を実現することができる。
【００３９】
また、２種類の永久磁石９ａ，９ｂにより形成される磁気経路は、何れも、保磁力が大きいネオジム磁石９ａと保磁力が小さいアルニコ磁石９ｂの双方を通過する。これにより、全ての磁気経路の磁束量をほぼ同じにでき、安定した磁束量によりドラム２７を駆動することができる。
また、本実施形態のドラム式洗濯乾燥機２１によれば、運転行程に応じて永久磁石９の磁束量を効率よく調整することができる。
【００４０】
尚、本発明は、上述の一実施形態にのみ限定されるものではなく、次のように変形または拡張できる。
保磁力が異なる２種類の永久磁石９としては、ネオジム磁石９ａおよびアルニコ磁石９ｂに限られるものではなく、その他の種類の永久磁石（例えば、アルニコ磁石９ｂに代えてサマリウム・コバルト磁石など）を用いてもよい。尚、これら２種類の永久磁石９は、保磁力が概ね２倍以上異なることが好ましい。
【００４１】
ネオジム磁石９ａを、１磁極あたり複数個の永久磁石片で構成し、且つ、これら複数個の永久磁石片間に当該永久磁石片の磁化方向と直交する方向に隙間を持たせた構成としてもよい。
永久磁石９は、角柱形状に限られるものではなく、例えば円柱形状に形成してもよい。
【００４２】
永久磁石９は２種類に限られるものではなく、保磁力が大、中、小の３種類の永久磁石で構成してもよいし、４種類や５種類など複数種類の永久磁石で構成してもよい。この場合、制御回路部４２は、これら永久磁石のうち相対的に保磁力が小さい永久磁石の磁化状態を運転行程ごとに切り換えるようにするとよい。
【００４３】
永久磁石９の磁束量を調整する手段としては、インバータ回路により固定子巻線５の通電を制御する構成に限られるものではなく、例えば、固定子巻線５とは別の巻線を設け、この巻線の通電を制御する構成としてもよい。
【００４４】
本発明の永久磁石モータ１は、上述のドラム式洗濯乾燥機２１のみならず、乾燥機能を有しない洗濯機や回転槽の軸方向が縦向きである縦軸型の洗濯機にも適用することができる。また、本発明は、上述のようなアウタロータ型の永久磁石モータ１のみならず、固定子の内周に回転子を設けたインナーロータ型モータにも適用することができる。さらに、本発明の永久磁石モータ１は、エアコンなどに搭載される圧縮機駆動用のモータなど種々のモータに適用することができる。
【図面の簡単な説明】
【００４５】
【図１】本発明の一実施形態を示すものであり、回転子の一部を拡大して示す部分拡大図
【図２】永久磁石モータの全体構成を概略的に示す斜視図
【図３】固定子の構成を概略的に示す斜視図
【図４】回転子の構成を概略的に示す斜視図
【図５】ドラム式洗濯乾燥機の内部構成を概略的に示す縦断側面図
【符号の説明】
【００４６】
図面中、１は永久磁石モータ、３は回転子、８は回転子コア、９は永久磁石、９ａはネオジム磁石、９ｂはアルニコ磁石、９ｂ´はアルニコ磁石片（永久磁石片）、２１はドラム式洗濯乾燥機（洗濯機）、４２は制御回路部（制御部）を示す。
【図１】
2010022107.tif 000003
【図２】
2010022107.tif 000004
【図３】
2010022107.tif 000005
【図４】
2010022107.tif 000006
【図５】
2010022107.tif 000007